(57)【特許請求の範囲】
【請求項１】
開口部を開閉するように前記開口部の周縁部に収納された開閉体手段と、
前記周縁部に設けられた出入口部から前記開閉体手段を繰り出して前記開口部の開閉動作を制御する制御手段と、
前記出入口部付近に設けられ、前記開閉体手段に接触することによって前記出入口部と前記開閉体手段との間の隙間を塞ぐシート部材とを備えた防火防煙用開閉体装置であって、
丁番構造をしており、前記丁番の一方の板は前記出入口部に取り付けられ、他方の板は前記シート部材を保持すると共に前記開閉体手段の通常の開閉動作時には前記シート部材を前記開閉体手段に接触しないような位置にセットしておき、所定の条件を満たした場合に前記シート部材を前記開閉体手段に接触させて前記出入口部と前記開閉体手段との間の隙間を塞ぐシート保持手段を備えたことを特徴とする防火防煙用開閉体装置。
【請求項２】
請求項１に記載の防火防煙用開閉体装置において、前記シート保持手段は、前記開閉体手段の表面に接触して回転又は摺動することによって前記シート部材が前記開閉体手段に接触しないような位置にセットし、所定の温度で熱変形する接触部材を保持しており、火災時の熱で前記接触部材が熱変形することによって前記シート部材は前記開閉体手段に接触するように構成したことを特徴とする防火防煙用開閉体装置。
【請求項３】
請求項１に記載の防火防煙用開閉体装置において、前記シート保持手段は、前記丁番の他方の板に設けられた係止部に係合することによって前記シート部材が前記開閉体手段に接触しないような位置にセットし、火災発生時の防災信号によって動作することによって前記シート部材を前記開閉体手段に接触させるソレノイド手段を備えたことを特徴とする防火防煙用開閉体装置。
【請求項４】
開口部を開閉するように前記開口部の周縁部に収納された開閉体手段と、
前記周縁部に設けられた出入口部から前記開閉体手段を繰り出して前記開口部の開閉動作を制御する制御手段と、
前記出入口部付近に設けられ、前記開閉体手段に接触することによって前記出入口部と前記開閉体手段との間の隙間を塞ぐシート部材とを備えた防火防煙用開閉体装置であって、
前記開閉体手段に接触しないように折り曲げられた状態の前記シート部材の前記開閉体手段側先端部を保持すると共に前記開閉体手段の通常の開閉動作時には前記シート部材を前記開閉体手段に接触しないような位置にセットしておき、所定の条件を満たした場合に前記シート部材を前記開閉体手段に接触させて前記出入口部と前記開閉体手段との間の隙間を塞ぐように構成したシート保持手段を備えたことを特徴とする防火防煙用開閉体装置。
【請求項５】
請求項４に記載の防火防煙用開閉体装置において、前記シート保持手段は、前記開閉体手段に接触しないように折り曲げられた状態の前記シート部材の前記開閉体手段側先端部を火災時の熱で熱変形する保持部材を用いて保持しており、火災時の熱で前記保持部材が熱変形することによって前記シート部材は折り曲がった状態から伸縮して前記開閉体手段に接触するように構成したことを特徴とする防火防煙用開閉体装置。
【請求項６】
請求項４に記載の防火防煙用開閉体装置において、前記シート保持手段は、前記開閉体手段に接触しないように折り曲げられた状態の前記シート部材の前記開閉体手段側先端部を、火災発生時の防災信号によって動作するソレノイド手段を用いて保持したことを特徴とする防火防煙用開閉体装置。
【請求項７】
請求項３に記載の防火防煙用開閉体装置において、前記ソレノイド手段は、その可動軸に伸縮性のある部材で構成され、前記シート部材を前記開閉体手段に接触しないような位置に復帰させる突起部材を前記開閉体手段の下端付近に備えたことを特徴とする防火防煙用開閉体装置。
【発明の詳細な説明】
【技術分野】
【０００１】
本発明は、ビル等の建物内部で発生した火災による煙の拡散を防止するために建物内部の通路や開口部などの空間をシャッター状のカーテンなどの遮蔽部材で仕切る防火防煙用開閉体装置に関する。
【背景技術】
【０００２】
一般に、床面積の大きいビル等の建物内部の通路などには、火災発生時の延焼や煙の拡散を防止するために火災発生と同時に自動的に閉じるシート状又はシャッター状の防火カーテンなどの遮蔽部材を用いて、柱、壁、床などと共に３次元的に囲まれた空間、すなわち防火防煙区画を形成するように動作する防火防煙用開閉体装置が備え付けられている。
【０００３】
図１及び図２は、この防火防煙用開閉体装置の概略構成を示す図であり、図１は防火防煙用開閉体装置を側面側から見た図であり、図２はこれを正面側から見た図である。図１の防火防煙用開閉体装置に用いられている遮蔽装置は、防火カーテン装置である。防火カーテン装置は、基本的にブラケット１１，１２、巻取シャフト１３、スラットカーテン１４から構成される。なお、図２では、同じ構成の防火カーテン装置が２台隣設されたものが示されているので、その一つについて説明する。防火カーテン装置はこれ以外にも、自動閉鎖装置などの構成部品を有するが、ここではその詳細は省略する。ブラケット１１，１２は、建物内の柱２１と柱（図示せず）との間の上階スラブ２３側に形成されている梁２４の側面（図２では前面側）に取り付けられている。巻取シャフト１３は、ブラケット１１，１２間に回転可能に取り付けられている。スラットカーテン１４は、巻取シャフト１３に取り付けられており、図示していない自動閉鎖装置によってスラットカーテン１４が降下する。
【０００４】
スラットカーテン１４，１４ａの出入口となる天井２５に形成されたスリット状の出入口部の両側にはまぐさ２６が設けられている。また、柱２１の側面にはスラットカーテン１４の案内となるガイドレール１５が設けられており、天井２５とスラブ２０との間には、スラットカーテン１４とその隣に隣設されたスラットカーテン１４ａの案内となるガイドレール１６が設けられている。スラットカーテン１４は、ガイドレール１５，１６に沿ってまぐさ２６を介して上昇下降するようになっている。スラットカーテン１４が巻取シャフト１３に巻き取られている状態が通常の状態である。通常の状態の時にスラットカーテン１４の最下部の座板がまぐさ２６と略同じ高さに位置しており、火災が発生すると、防火カーテン装置は、煙感知器（又は熱感知器）２７，２８からの信号に対応してスラットカーテン１４を自動的に下降させ、柱２１、天井２５、スラブ２０によって形成される開口部空間を閉鎖する。なお、図１では、ガイドレール１６の図示は省略してあり、図２では、天井２５は点線で示してある。また、図１はスラットカーテン１４の全閉状態を示し、図２は半閉状態を示している。このような防火防煙用開閉体装置については、特許文献１に示すものが知られている。
【先行技術文献】
【特許文献】
【０００５】
【特許文献１】特開２００４−１６２４２７号公報
【発明の概要】
【発明が解決しようとする課題】
【０００６】
特許文献１に記載のものは、スラットカーテン１４で開口部を遮蔽して防火、防煙を行なうように構成されたものであり、スラットカーテン１４と天井２５との間のまぐさ２６付近に生じる若干の隙間を塞ぐ必要がある。そこで、特許文献１に記載のものは、スラットカーテンのフラット面に弾性的に接触するように密閉部材を設けている。
【０００７】
この密閉部材は、スラットカーテンと略同等の長さを有する平面視長尺矩形状のシート状部材であり、ガラスクロス等の耐火性を有する材料で形成されている。すなわち、防煙用開閉体装置では、スラットカーテンを越えて煙が通過するのを防止するため、まぐさ部に防煙シートと呼ばれる上記密閉部材を常時スラットカーテンと接触させている。
【０００８】
しかし、防煙シートが常時スラットカーテンと接触していると、スラットカーテンの開閉に伴って防煙シートが擦り減り、本来必要な状況時（火災時等）に煙を遮断するという機能を発揮できないことが危惧されている。
【０００９】
この発明は、上述の点に鑑みなされたものであり、防煙シート等の防火防炎用シートの擦り減りを無くしたり、擦り減りを極力少なくしたりして、防火防炎用シートが煙等を遮断するという機能を必要な時に十分に発揮することのできる防火防煙開閉体装置を提供することを目的とする。
【課題を解決するための手段】
【００１０】
本発明に係る防火防煙用開閉体装置の第１の特徴は、開口部を開閉するように前記開口部の周縁部に収納された開閉体手段と、前記周縁部に設けられた出入口部から前記開閉体手段を繰り出して前記開口部の開閉動作を制御する制御手段と、前記出入口部付近に設けられ、前記開閉体手段に接触することによって前記出入口部と前記開閉体手段との間の隙間を塞ぐシート部材とを備えた防火防煙用開閉体装置であって、前記開閉体手段の通常の開閉動作時には前記シート部材を前記開閉体手段に接触しないような位置にセットしておき、所定の条件を満たした場合に前記シート部材を前記開閉体手段に接触させて前記出入口部と前記開閉体手段との間の隙間を塞ぐシート保持手段を備えたことにある。
開閉体手段は、ビル、住宅、工場、倉庫等の建物などの構造物における、出入口や窓部、あるいは内部の通路や空間などの開口部などを開閉移動するシャッターカーテンなどの開閉部材で構成され、災害発生時や閉店時などに防火・防煙・防水・防風・防犯などのために開口部を仕切るために開口部周縁の収納部から出入口部を介して繰り出され、自重で閉動作する場合と、電動で開閉動作する場合とがある。制御手段は、開閉停信号、防災信号、又は非常閉鎖信号などの制御信号を入力することによって、開閉体手段を降下させ、開口部を閉鎖する。出入口部付近には、開閉体手段に接触することによって出入口部と開閉体手段との間の隙間を塞ぐシート部材が設けられている。この発明では、開閉体手段の通常の開閉動作時にはシート部材を開閉体手段に接触しないような位置、例えば前記シート部材を前記開閉手段と離間させた位置にセットしておき、防災信号又は非常閉鎖信号が発生した場合や火災が発生した場合などの所定の条件を満たした場合にシート部材を開閉体手段に接触させて出入口部と開閉体手段との間の隙間を塞ぐようにした。なお、ここで「接触しない」とは、本来の意味で接触しない場合のみならず、例えば巻取シャフトに巻かれるシートの径が大きいときに若干接触したり、ある程度以上の風圧シートが押されたときに若干接触するというような、シートの擦り減りにはほとんど影響がない程度に接触する場合も含んでおり、すなわち，実質的には接触しないという意味である。
【００１１】
本発明に係る防火防煙用開閉体装置の第２の特徴は、前記第１の特徴に記載の防火防煙用開閉体装置において、前記シート保持手段が、丁番構造をしており、前記丁番の一方の板は前記出入口部に取り付けられ、他方の板は前記シート部材を保持すると共に前記開閉体手段の表面に接触して回転又は摺動することによって前記シート部材が前記開閉体手段に接触しないような位置にセットし、所定の温度で熱変形する接触部材を保持しており、火災時の熱で前記接触部材が熱変形することによって前記シート部材は前記開閉体手段に接触するように構成したことにある。これは、図３に対応したものであり、丁番と熱変形部材とを用いてシート部材の開閉体手段への接触／非接触を制御するようにしたものである。
【００１２】
本発明に係る防火防煙用開閉体装置の第３の特徴は、前記第１の特徴に記載の防火防煙用開閉体装置において、前記シート保持手段が、一方の板は前記出入口部に取り付けられ、他方の板は前記シート部材を保持する丁番手段と、前記丁番手段の他方の板に設けられた係止部に係合することによって前記シート部材が前記開閉体手段に接触しないような位置にセットし、火災発生時の防災信号によって動作することによって前記シート部材を前記開閉体手段に接触させるソレノイド手段とを備えたことにある。これは、図４に対応したものであり、丁番とソレノイドを用いてシート部材の開閉体手段への接触／非接触を制御するようにしたものである。
【００１３】
本発明に係る防火防煙用開閉体装置の第４の特徴は、前記第１の特徴に記載の防火防煙用開閉体装置において、前記シート保持手段が、前記開閉体手段に接触しないように折り曲げられた状態の前記シート部材の前記開閉体手段側先端部を火災時の熱で熱変形する保持部材を用いて保持しており、火災時の熱で前記保持部材が熱変形することによって前記シート部材は折り曲がった状態から伸縮して前記開閉体手段に接触するように構成したことにある。これは、図５に対応したものであり、折り曲げた状態のシート部材を熱変形部材で保持し、開閉体手段への接触／非接触を制御するようにしたものである。
【００１４】
本発明に係る防火防煙用開閉体装置の第５の特徴は、前記第１の特徴に記載の防火防煙用開閉体装置において、前記シート保持手段が、前記開閉体手段に接触しないように折り曲げられた状態の前記シート部材の前記開閉体手段側先端部を、火災発生時の防災信号によって動作するソレノイド手段を用いて保持したことにある。これは、図６に対応したものであり、折り曲げた状態のシート部材をソレノイドで保持し、開閉体手段への接触／非接触を制御するようにしたものである。
【００１５】
本発明に係る防火防煙用開閉体装置の第６の特徴は、前記第３の特徴に記載の防火防煙用開閉体装置において、前記ソレノイド手段は、その可動軸に伸縮性のある部材で構成され、前記シート部材を前記開閉体手段に接触しないような位置に復帰させる突起部材を前記開閉体手段の下端付近に備えたことにある。これは、図７に対応したものであり、丁番とソレノイドを用いてシート部材の開閉体手段への接触／非接触を制御すると共に接触後のシート部材を元の状態に復帰させるようにしたものである。
【発明の効果】
【００１６】
本発明によれば、防煙シート等の防火防炎用シートの擦り減りを無くしたり、擦り減りを極力少なくしたりして、防火防炎用シートが煙等を遮断するという機能を必要な時に十分に発揮することができるという効果がある。
【図面の簡単な説明】
【００１７】
【図１】防火防煙用開閉体装置を側面から見た側面図である。
【図２】図１を正面側から見た正面図である。
【図３】本発明に係る防火防煙シャッター装置のまぐさ部とシャッターカーテンとの間に設けられる防煙用のシート状部材の設置状態の一例を示す図である。
【図４】本発明に係る防火防煙シャッター装置のまぐさ部とシャッターカーテンとの間に設けられる防煙シートの設置状態の第１の変形例を示す図である。
【図５】本発明に係る防火防煙シャッター装置のまぐさ部とシャッターカーテンとの間に設けられる防煙シートの設置状態の第２の変形例を示す図である。
【図６】本発明に係る防火防煙シャッター装置のまぐさ部とシャッターカーテンとの間に設けられる防煙シートの設置状態の第３の変形例を示す図である。
【図７】本発明に係る防火防煙シャッター装置のまぐさ部とシャッターカーテンとの間に設けられる防煙シートの設置状態の第４の変形例を示す図である。
【発明を実施するための形態】
【００１８】
以下、添付図面に従って本発明に係る防火防煙用開閉体装置の一例として防火防煙シャッター装置について説明する。防火防煙シャッター装置は、短冊板状のスラットを多数連結してなるシャッターカーテンを、建物開口部の上方に巻回状態で収納し、巻き戻されながら繰り出されることで建物開口部を閉鎖する。本発明に係る防火防煙シャッター装置の構成は、図１と同じなので、その説明は省略する。図３は、本発明に係る防火防煙シャッター装置のまぐさ部とシャッターカーテンとの間に設けられる防煙用のシート状部材（以下「防煙シート」と呼ぶ）の設置状態の一例を示す図である。
【００１９】
従来は、防煙シートは、まぐさ部の隅部に設けられた防煙シート押さえ板によってまぐさ部の水平面に押し付け固定されていた。従って、防煙シートは、常にシャッターカーテンに接触していた。そこで、この実施の形態では、図３に示すように、丁番の仕組みを持った防煙シート固定板をまぐさ部の隅部に設けるようにした。すなわち、防煙シート固定板は、丁番３０の一方の金属板で構成される。防煙シート３２は丁番３０の金属板３０ａに取り付けられる。まぐさ部３１の垂直面に丁番３０の金属板３０ｂが取り付けられ、丁番３０の回転軸を中心に自在に回転する金属板３０ａの下面側に防煙シート３２が取り付けられている。また、この金属板３０ａの上面側には、スラットカーテン１４に接触して回転するローラ３３が取り付けられている。金属板３０ａの先端に取り付けられる小さなローラ３３は、摺動性のよいもので代用することもできる。
【００２０】
丁番３０の金属板３０ａは、それ自身の自重や防煙シート３２の重量で、スラットカーテン１４側に向かって倒れるように設置されている。ローラ３３は、温度が約７０°Ｃ超で熱変形しやすい材質のもので構成される。約７０°Ｃ超で熱変形しやすい材質のものとしては、例えば、ニトリル・ブタジン、ポリアセタール（ＰＯＭ）、ポリアミド（ＰＡｍ）、ポリカーボネート（ＰＣ）ポリブチレン・テレフタレート（ＰＢＴ）などを用いる。なお、ここでの７０°Ｃとは、通常でもこれくらいは上昇すると想定される温度である。
【００２１】
防火防煙開閉体装置の通常の上昇下降（開閉）動作時には、このローラ３３がスラットカーテン１４の表面上を接触して転がることによって、防煙シート３２はスラットカーテン１４と離間しているため、接触することはない。一方、火災が発生した場合、その熱によってローラ３３が熱変形し、ローラ３３が金属板３０ａから外れる。すると、防煙シート３２の固定されている防煙シート固定板（金属板３０ａ）がスラットカーテン１４側に倒れる。これによって、図３（Ｂ）に示すように、防煙シート３２がスラットカーテン１４の表面と接触して、遮煙性能を発揮するようになる。
【００２２】
図４は、本発明に係る防火防煙シャッター装置のまぐさ部とシャッターカーテンとの間に設けられる防煙シートの設置状態の第１の変形例を示す図である。図４において、図３と同じ構成のものには同一の符号が付してあるので、その説明は省略する。図４の実施の形態が図３のものと異なる点は、丁番３０の防煙シート固定板（金属板３０ａ）の上面側にソレノイド３４によって動作する可動軸をつっかえ棒３４ａとして利用し、このつっかえ棒３４ａに係止する係止部３０ｃを金属板３０ａの上面側に設けて、金属板３０ａを固定するようにした点である。
【００２３】
金属板３０ａの側面部形状は略ｙ字状となっており、防火防煙開閉体装置の通常の上昇下降（開閉）動作時には、この係止部３０ｃとソレノイド３４の可動軸（つっかえ棒）３４ａが掛かり合っているので、金属板３０ａは図４（Ａ）の位置に保持され、防煙シート３２はスラットカーテン１４と接触することはない。このとき、火災が発生すると、その時に発生される防災信号ＢＳに応じてスラットカーテン１４が閉鎖を開始する。そこで、ソレノイド３４は、この防災信号ＢＳとスラットカーテン１４の閉鎖信号を入力すると動作するように設定する。従って、防災信号ＢＳが発生し、スラットカーテン１４が閉鎖を開始すると、ソレノイド３４が動作して可動軸（つっかえ棒）３４ａがソレノイド３４内に移動し、係止部３０ｃが可動軸（つっかえ棒）３４ａから外れる。すると、防煙シート３２の固定されている防煙シート固定板（金属板３０ａ）が自重でスラットカーテン１４側に倒れる。これによって、図４（Ｂ）に示すように、防煙シート３２がスラットカーテン１４の表面と接触して、遮煙性能を発揮するようになる。
【００２４】
図５は、本発明に係る防火防煙シャッター装置のまぐさ部とシャッターカーテンとの間に設けられる防煙シートの設置状態の第２の変形例を示す図である。この変形例では、防煙シートを折り曲げて、粘着テープ等で固定するようにしたものである。すなわち、防煙シート３２ａは、まぐさ部３１の垂直面に取り付けられたＪ字状の防煙シート固定金具３５の長辺部３５ａとまぐさ部３１の水平面との間に形成される空間に挿入保持されている。Ｊ字状の防煙シート固定金具３５の短辺部３５ｂの上面には、折り曲げられた防煙シート３２ａの端部が粘着テープ等で固定される。防煙シート３２ａは、粘着テープ等がなくなるとほぼ真っ直ぐになるように十分な曲率を持たせて折り曲げられている。粘着テープは、約７０°Ｃ超の温度で剥がれたり、熱変形しやすい部材（上述の材料のもの）を用いるものとする。
【００２５】
防火防煙開閉体装置の通常の上昇下降（開閉）動作時には、図５（Ａ）に示すように、防煙シート３２ａは防煙シート固定金具３５の短辺部３５ｂの上面に接着固定され、折り曲がった状態にあるので、スラットカーテン１４と接触することはない。一方、火災が発生した場合、その熱によって粘着テードが熱変形し、防煙シート３２ａが防煙シート固定金具３５の短辺部３５ｂの上面から外れる。これによって、図５（Ｂ）に示すように、防煙シート３２ａは伸縮してスラットカーテン１４の表面と接触して、遮煙性能を発揮するようになる。
【００２６】
図６は、本発明に係る防火防煙シャッター装置のまぐさ部とシャッターカーテンとの間に設けられる防煙シートの設置状態の第３の変形例を示す図である。図６において、図５と同じ構成のものには同一の符号が付してあるので、その説明は省略する。図６の実施の形態が図５のものと異なる点は、折り曲げられた防煙シート３２ａの端部をＪ字状の防煙シート固定金具３５の短辺部３５ｂの上面に固定する部材として、ソレノイド３４の可動軸を押し付け棒３４ｂとして利用し、この押し付け棒３４ｂで防煙シート３２ａの端部を防煙シート固定金具３５の短辺部３５ｂの上面に押し付けて固定するようにした点である。
【００２７】
防火防煙開閉体装置の通常の上昇下降（開閉）動作時には、ソレノイド３４の可動軸（押し付け棒）３４ｂによって防煙シート３２ａの端部が防煙シート固定金具３５の短辺部３５ｂの上面に押し付けられているので、防煙シート３２ａは図６（Ａ）に示すように折り曲げられた状態を維持し、スラットカーテン１４と接触することはない。火災が発生すると、その時に発生される防災信号ＢＳに応じてスラットカーテン１４が閉鎖を開始する。そこで、ソレノイド３４は、この防災信号ＢＳとスラットカーテン１４の閉鎖信号を入力すると動作するように設定されているので、防災信号ＢＳが発生し、スラットカーテン１４が閉鎖を開始すると、ソレノイド３４が動作して可動軸（押し付け棒）３４ｂがソレノイド３４内に移動し、可動軸（つっかえ棒）３４ｂによって押し付けられていた防煙シート３２ａ外れる。これによって、図６（Ｂ）に示すように、防煙シート３２ａは伸縮してスラットカーテン１４の表面と接触して、遮煙性能を発揮するようになる。
【００２８】
図７は、本発明に係る防火防煙シャッター装置のまぐさ部とシャッターカーテンとの間に設けられる防煙シートの設置状態の第４の変形例を示す図である。図７において、図４と同じ構成のものには同一の符号が付してあるので、その説明は省略する。図７の実施の形態が図４のものと異なる点は、ソレノイド３４によって動作する可動軸（つっかえ棒）３４ｂを伸縮性のある部材（例えば、バネやゴムなど）で構成した点である。
【００２９】
図７では、ソレノイド３４のつっかえ棒３４ｂの一部にコイルバネを用い、その先端部に金属の接触部材を設けている。火災発生時の動作は、図４のものと同様に、ソレノイド３４が動作して可動軸（つっかえ棒）３４ｂがソレノイド３４内に移動し、係止部３０ｃが可動軸（つっかえ棒）３４ｂから外れ、防煙シート３２の固定されている防煙シート固定板（金属板３０ａ）が自重でスラットカーテン１４側に倒れて、防煙シート３２がスラットカーテン１４の表面と接触して、遮煙性能を発揮するようになっている。図４の実施の形態では、防煙シート３２がスラットカーテン１４の表面と接触した後、元の位置に復帰することはできなかった。
【００３０】
図７の実施の形態では、スラットカーテン１４の下端付近に復帰用の突起部材１４ａが取り付けられているので、図７（Ｂ）に示すように、スラットカーテン１４の全開時には防煙シート固定板である丁番３０の金属板３０ａに接触し、金属板３０ａ及び防煙シート３２を押し上げる。このとき、防煙シート固定板の係止部３０ｃは、ソレノイド３４の可動軸（つっかえ棒）３４ｂの先端部と接触する。この接触によって、伸縮性のある可動軸（つっかえ棒）３４ｂは若干湾曲する。その結果、係止部３０ｃはこの可動軸（つっかえ棒）３４ｂを乗り越えて、図７（Ａ）のように元の位置に復帰する。これによって、防煙シート３２はスラットカーテン１４と接触しない位置に自動的にセットされることになる。
【００３１】
上述の実施の形態では、まぐさ部とシャッターカーテンとの間に設けられる防煙シートを例に説明したが、ガイドレールとシャッターカーテンとの間にも同様にして防煙シートを設けるようにしてもよい。この場合、上述の実施の形態では、防煙シート固定板である丁番３０の金属板３０ａの自重を利用して、防煙シート３２をスラットカーテン１４に接触するように構成しているが、バネ丁番を用いることによって、金属板の自重を利用できないようなガイドレールとシャッターカーテンとの間の隙間にもこの構成を応用することが可能となる。
【００３２】
上述の実施の形態では、開閉体としてスラットにて構成されるシャッターカーテンを例に説明したが、開閉体は、シートカーテン、パネルカーテン、あるいはスラットとシート等とを複合したカーテン等であってもよい。
また、巻取られて収納されるものの他に、巻き取られないで収納されるものであってもよい。この開閉体装置が配置される対象として建物以外に、地下街、トンネル、車両、船舶、航空機などの構造物の出入口部分や窓開口部分、防災区画を形成するための開口空間等の開口部分としてもよい。
【符号の説明】
【００３３】
１１，１２…ブラケット
１３…巻取シャフト
１４，１４ａ…スラットカーテン
１５，１６…ガイドレール
２０，２３…スラブ
２１…柱
２４…梁
２５…天井
２６…まぐさ
２７，２８…煙感知器（又は熱感知器）
３０…丁番
３０ａ，３０ｂ…金属板
３０ｃ…係止部
３１…まぐさ部
３２，３２ａ…防煙シート
３３…ローラ
３４…ソレノイド
３４ａ…つっかえ棒
３４ｂ…押し付け棒
３５…防煙シート固定金具
３５ａ…長辺部
３５ｂ…短辺部
【図１】
0005554960.tif 000002
【図２】
0005554960.tif 000003
【図３】
0005554960.tif 000004
【図４】
0005554960.tif 000005
【図５】
0005554960.tif 000006
【図６】
0005554960.tif 000007
【図７】
0005554960.tif 000008